(57)【要約】【課題】サニタリーの分野で使用される純粋蒸留水の製造装置で、サニタリー配管中に配備される滅菌スチームトラップ装置を提供する。【解決手段】入口(１)と出口(２)を形成した弁ケース本体(１０)に、弁室(３)内において回動自在に弁ボール体(２０)を配置し、弁ボール体(２０)には入口(１)と出口(２)を全開で連通する通孔(２１)と９０度位置で流体圧の強弱に応動して開閉する小球弁(２２)を設け、この小球弁(２２)に流量制限機能と逆止弁機能を具備してなることを特徴とする。【選択図】  図１
2005172090.tif 000002
【特許請求の範囲】
【請求項１】
入口(１)と出口(２)を形成した弁ケース本体(１０)に、弁室(３)内において回動自在に弁ボール体(２０)を配置し、弁ボール体(２０)には入口(１)と出口(２)を全開で連通する通孔(２１)と９０度位置で流体圧の強弱に応動して開閉する小球弁(２２)を設け、この小球弁(２２)に流量制限機能と逆止弁機能を具備してなることを特徴とする滅菌スチームトラップ弁装置。
【請求項２】
前記小球弁(２２)はセット位置が調整可能なボールシート(２３)にばね(２４)を附勢して圧接されてなる請求項１記載の滅菌スチームトラップ弁装置。
【請求項３】
前記弁ボール体(２０)には、小球弁(２２)からさらにオリフィス孔(２５)を通して前記入口(１)と出口(２)を連通する第２の流量制限機能を具備してなるチスームトラップ装置。
【発明の詳細な説明】
【技術分野】
【０００１】
本発明はサニタリーの分野で使用される純粋蒸留水の製造装置で、サニタリー配管中に配備されるスチームトラップ、特に滅菌スチームトラップ装置に関する。
【背景技術】
【０００２】
サニタリーの分野で使用される高純度の蒸留水は、菌の増殖を抑えるために高温度で貯蔵され使用直前に適温に冷却される。このような純粋蒸留水製造装置の配管系においては、滅菌の効果を高めるために適時弁を操作して高温蒸気を流通させ、その後は一気にブローへ排出させることができるようにスチームトラップ装置が設けられる。
【０００３】
従来、このようなスチームトラップ装置は、図４に示すようにブローへ向う配管４０にハンドル操作で開放と遮閉を行う機能を備えたボール弁４１と、所定温度以下になると自動的に遮閉する機能をもつスチームトラップ４２、及びチェッキバルブ(逆止弁)４３とを個別に配備したものが一般的である。また、１つのボール弁にスチームトラップ機能を組込んだものも知られている(特許文献１)。
【特許文献１】特開２０００−２０５４９３号公報
【発明の開示】
【発明が解決しようとする課題】
【０００４】
特許文献１は、入口と出口を通路で連結するボール弁体に所定温度以下の復水だけを排出する温調弁を配備したものであるため、温調弁としての機能を果たすと同時に入口と出口をボール弁体によって遮断する流路遮断機能を果たすだけのものである。従って、このものでは流路を最大限に開口した全開機能及びチェッキバルプとしての逆止弁の機能を果たすことができないため、別途に独立したものを付設する必要があり、このため、使用上において不便であり、而もコストの面でも割高になるという問題がある。
【０００５】
本発明は、上記に鑑みてなされたものであり、滅菌時にはスチームトラップとしての機能と同時に全開、全閉の機能、及びチェッキバルブ(逆止弁)としての機能を１つのボール弁に組込むことによりコンパクトで効率よく滅菌効果を高め、安価で使い易い滅菌スチームトラップ装置を提供することを目的とする。
【課題を解決するための手段】
【０００６】
本発明に係る滅菌スチームトラツプ装置は、入口１と出口２を形成した弁ケース本体１０に、弁室３内において回動自在に弁ボール体２０を配置し、弁ボール体２０には入口１と出口２を全開で連通する通孔２１と９０度位置で流体圧の強弱に応動して開閉する小球弁２２を設け、この小球弁２２に流量制限機能と逆止弁機能を具備してなる。このうち、小球弁２２はセット位置が調整可能なボールシート２３にばね２４を附勢して圧接されることが好ましい。ボールシート２３はねじ込みにより装着されており、ねじ込み位置を加減することによりばね圧の強弱が調整される。
【０００７】
また、弁ボール体２０には、小球弁２２からさらにオリフィス孔２５を通して前記入口１と出口２を連通する第２の流量制限機能を具備することができる。
【発明の効果】
【０００８】
本発明に係る滅菌スチームトラップ装置は、開閉弁の機能と、スチームトラップの機能、とチェッキバルブとしての逆止弁の機能の３つの機能を１つの弁ボール体に組入れて構成されているため、操作がよく、而も従来よりコンパクトな滅菌スチームトラップ装置を安価に提供することができる。
【０００９】
また、ボールシートの位置及びばね圧の調整を簡単に行なうことができ、調整弁としての性能が良く、このため滅菌効果が高められる。
【発明を実施するための最良の形態】
【００１０】
本発明に係る滅菌スチームトラップ装置は３つの弁機能を１つにしてブロー配管に設けたもので、以下添付図面を参照して好適な実施例を説明する。
【実施例】
【００１１】
図１は、本発明に係る滅菌スチームトラップ装置の正面からみた断面図を示している。弁ケース本体１０の両側に入口１と出口２が形成それており、入口１をブロー配管の上流側に、出口２をブロー排出側に接続して取付けられる。
【００１２】
この弁ケース本体１０に弁ボール体２０が内装され、弁軸４の操作で左右に９０度の範囲で回動操作される。弁ボール体２０には入口１と出口２に合致するように左右に貫通した通孔２１が設けられている。また、この通孔２１と直交する９０度の位置に、スチームトラップの機能を果たす小球弁２２が設けられている。
【００１３】
図２は、本発明装置の弁ケース本体の入口と出口を結ぶ線上における断面ず、(イ)は全開の状態、(ロ)は滅菌時の状態を示している。
【００１４】
(作用)
図２の(イ)では入口１と出口２が通孔２１を通して連通し、しかもその開度は全開であるが、９０度回わして入口１の位置に小球弁２２を位置させると蒸気は入口１から小球弁２２を押し開いて出口２へと向う。蒸気の温度が高いと圧力が強くなる。この圧力によりばね２４に抗して小球弁２２を開くので通孔２１からオリフィス孔２５を経て出口２に向いブローへ排出される。蒸気の温度が低いと圧力が下がるので小球弁２２を開くことができる為、蒸気はストップする。
【００１５】
図３は、このスチームトラップの機能を果たす小球弁２２の拡大した断面図を示している。ボールシート２３に対体からなる小球弁２２がコイルばね２４のばね圧により圧接されている。ボールシート２３の軸心部に通路孔２６が設けてあって蒸気はこの通路孔２６から小球弁２２に作用する。ボールシート２３はねじ込み式になっていて、螺入位置を変えることによりコイルばね２４のばね圧を加減することができる。また、コイルばね２３も他種のものと交換可能である。オリフィス孔２５は通孔２１を隔てて小球弁２２の対向位置に設けられている。このため、小球弁２２を通過した蒸気は容量の大きい通孔２１に流入することで勢が弱められて蒸留水となり、その後にオリフィス孔２５を経てブローへ排出されるものである。
【００１６】
弁ボール体２０を図２の(イ)の位置から逆の方向(左方向)へ９０度回動させると、出口２側に小球弁２２が対向するため入口１と出口２は遮断さりる。
【００１７】
図２の(ロ)の位置では、小球弁２２はチェッキバルブ(逆止弁)としての機能を果たし、出口２側よりの逆流を阻止している。
【産業上の利用可能性】
【００１８】
上記本発明に係る滅菌スチームトラップ装置は、１つのボール弁にスチームトラップの機能と、全開でブローへ排出させる機能と、チエッキバルブ(逆止弁)の機能に加えて入口と出口の通路を遮断する通路遮断機能を併わせ有するものであって、従来個別に設けていたものが１つに組込まれているため従来よりコンパクトに形成できて、操作がやり易くなり、而もコスト的にも安価に実施できるので実用的に有利である。
【図面の簡単な説明】
【００１９】
【図１】図１は本発明の一実施例を示す滅菌スチームトラップ装置の正面からみた断面図である。
【図２】本発明装置の入口と出口を結ぶ線上における横断面図であり、(イ)は全開時、(ロ)は滅菌時の状態を示している。
【図３】スチームトラップの機能を果たす小球弁の拡大した断面図である。
【図４】従来のスチームトラップ装置の配管図である。
【符号の説明】
【００２０】
１    入口
２    出口
３    弁室
４    弁軸
１０  弁ケース本体
２０  弁ボール体
２１  通孔
２２  小球弁
２３  ボールシート
２４  ばね
２５  オリフィス孔
２６  小通路孔
【図１】
2005172090.tif 000003
【図２】
2005172090.tif 000004
【図３】
2005172090.tif 000005
【図４】
2005172090.tif 000006